(57)【要約】【課題】自分の家庭の収支を客観的に評価できる家計簿データネットワークシステムを実現する。【解決手段】家計簿データを入力する個人端末３とネットワーク５を介して接続された家計簿データ作成サーバ７Ａとで構成し、この家計簿データ作成サーバ７Ａには、入力されたデータに基づいて費目、年齢、性別、職業を示す属性、家族構成を示す属性、又は居住地域等の会員が任意に登録した地域毎に収入値と支出値と資産とを再集計した消費動向データベース７４７Ｂを生成し、個人端末３からの要求に応じて、当該要求のあった個人の収入値と支出値と資産とを消費動向データベース７４７Ｂのデータと比較した表示情報を生成する。【選択図】図１
2008090450.tif 000002
【特許請求の範囲】
【請求項１】
少なくとも家庭毎に設けられた日付と費目と収入値と支出値とを入力するための個人端末と、
前記個人端末から入力された日付と費目と収入値と支出値とをネットワークを介して受信する家計簿データ作成サーバとからなり、
前記家計簿データ作成サーバは、個人ＩＤと年齢と性別と会員が任意に登録した地域を関連付けて格納した会員データベースと、
少なくとも前記個人ＩＤと職業を示す属性と家族構成を示す属性とを関連付けて格納した家計簿設定データベースと、
前記個人ＩＤと前記日付と費目と収入値と支出値とを関連付けて格納した家計簿入力データベースとを有しており、
前記家計簿データ作成サーバの制御手段は、前記各データベースから読み出したデータに基づいて費目、年齢、性別、職業を示す属性、家族構成を示す属性、又は会員が任意に登録した地域毎に収入値と支出値とを再集計した比較用データベースを生成し、
前記個人端末からの要求に応じて、当該要求のあった個人の収入値と支出値とを前記比較用データベースのデータと比較した表示情報を生成してネットワークを介して前記個人端末に送信する家計簿データネットワークシステム。
【請求項２】
前記会員データベース又は家計簿設定データベースには、当該個人ＩＤを有する会員が居住地域以外に任意に登録した就労地域及び複数の関心のある地域が登録されている請求項１記載の家計簿データネットワークシステム。
【請求項３】
前記ネットワークを介して個人端末に送信される表示情報は、家計簿の収支比較をグラフ化したレーダーチャートである請求項１又は２記載の家計簿データネットワークシステム。
【請求項４】
前記ネットワークを介して個人端末に送信される表示情報は、家計簿の費目別ランク比較をグラフ化したヒストグラムである請求項１又は２記載の家計簿データネットワークシステム。
【請求項５】
少なくとも家庭毎に設けられ日付と費目と収入値と支出値を入力するための個人端末と、
前記個人端末から入力された日付と費目と収入値と支出値とをネットワークを介して受信する家計簿データ作成サーバと、
前記家計簿データ作成サーバに対してネットワークを介して接続された法人端末とからなり、
前記家計簿データ作成サーバは、個人ＩＤと年齢と性別と職業を示す属性と会員が任意に登録した地域を関連付けて格納した会員データベースと、
少なくとも前記個人ＩＤと職業を示す属性と家族構成を示す属性とを関連付けて格納した家計簿設定データベースと、
前記個人ＩＤと、前記日付と費目と収入値と支出値とを関連付けて格納した家計簿入力データベースとを有しており、
前記家計簿データ作成サーバの制御手段は、前記各データベースから読み出したデータに基づいて費目、年齢、性別、職業を示す属性、家族構成を示す属性、又は会員が任意に登録した地域毎に収入値と支出値とを再集計した消費動向データベースを生成し、
前記法人端末からの要求に応じて、当該要求のあった条件に基づいた消費動向を前記消費動向データベースから読み出して表示情報を生成してネットワークを介して前記法人端末に送信する家計簿データネットワークシステム。
【請求項６】
少なくとも家庭毎に設けられた日付と費目と収入値と支出値とを入力するための個人端末と、
前記個人端末から入力された日付と費目と収入値と支出値とをネットワークを介して受信する家計簿データ作成サーバとからなり、
前記家計簿データ作成サーバは、個人ＩＤと年齢と性別と職業を示す属性と会員が任意に登録した地域を関連付けて格納した会員データベースと、
前記個人ＩＤと前記日付と費目と収入値と支出値とを関連付けて格納した家計簿入力データベースと、
前記個人ＩＤと年月と費目と予算とを関連付けて格納した予算データベースとを有しており、
前記家計簿データ作成サーバの制御手段は、予算データベースから読み出したデータに基づいて予算と実績とを比較して予算を管理し、前記個人端末からの要求に応じて、当該要求のあった個人の予実管理の結果を生成してネットワーク経由で前記個人端末に送信する家計簿データネットワークシステム。
【請求項７】
前記家計簿データ作成サーバは、
前記個人ＩＤと開始年と終了年と科目毎の金額と当該金額の増減率とを関連付けて格納したシミュレーションデータベースを有しており、
前記家計簿データ作成サーバの制御手段は、このシミュレーションデータベースから所望の科目の終了年度時の金額をシミュレーションし、ネットワークを介して前記個人端末に送信する請求項６に記載の家計簿データネットワークシステム。
【発明の詳細な説明】
【技術分野】
【０００１】
本発明は、情報処理装置（パーソナルコンピュータ又は携帯電話等）を個人端末として入力された家計簿データをネットワーク経由で処理する技術に関する。
【背景技術】
【０００２】
個人毎に家計簿データを入力してネットワークを介してＡＳＰサーバを用いて処理するサービスについては、たとえば特許文献１に記載されている。
【特許文献１】特開２００６−５０５２４号公報
【発明の開示】
【発明が解決しようとする課題】
【０００３】
ところでこのようなネットワークサービスで実現されている家計簿システムは、専門家が分析した画一的な基準値があらかじめサーバ側に設定されており、その比較で個人の収支が評価されるため、世帯の年齢構成、地域特性に合わせた比較が困難だった。
【０００４】
たとえば、同じ３０代の夫婦で構成される家庭の収支であっても、都会に居住している場合と、地方に居住している場合とでは、その環境が大きく異なるため、比較することはできなかった。そのため、あらかじめ都会の基準モデル、地方の基準モデルを作成しておく必要があったが、これにしても変化する経済動向に対応して変更する必要があった。
【０００５】
そのために、個人ユーザとしては、自分の家庭の収支が他人の家庭と比べてどの程度のものなのかを知る術が意外に少なく、友人同士の、いわゆる口コミに頼らざるを得ないのが現状であった。
【０００６】
本発明は、このような点に鑑みてなされたものであり、日々変化する家計簿データの比較対象を常に再構築し、自分の家庭の収支を客観的に評価できる家計簿データネットワークシステムを実現することを技術的課題とする。
【課題を解決するための手段】
【０００７】
前記課題を解決するために、本発明では、以下の手段を採用した。
本発明の請求項１は、少なくとも家庭毎に設けられた日付と費目と収入値と支出値とを入力するための個人端末と、前記個人端末から入力された日付と費目と収入値と支出値とをネットワークを介して受信する家計簿データ作成サーバとからなり、前記家計簿データ作成サーバは、個人ＩＤと年齢と性別と会員が任意に登録した地域を関連付けて格納した会員データベースと、少なくとも前記個人ＩＤと職業を示す属性と家族構成を示す属性とを関連付けて格納した家計簿設定データベースと、前記個人ＩＤと前記日付と費目と収入値と支出値とを関連付けて格納した家計簿入力データベースとを有しており、前記家計簿データ作成サーバの制御手段は、前記各データベースから読み出したデータに基づいて費目、年齢、性別、職業を示す属性、家族構成を示す属性、又は会員が任意に登録した地域毎に収入値と支出値とを再集計した比較用データベースを生成し、前記個人端末からの要求に応じて、当該要求のあった個人の収入値と支出値とを前記比較用データベースのデータと比較した表示情報を生成してネットワークを介して前記個人端末に送信する家計簿データネットワークシステムである。
【０００８】
なお、収入値と支出値等、収支にかかわる表記には資産を含むものとする。また、会員が任意に登録した地域とは、会員の居住地域を含む複数の地域のことである。職業を示す属性とは、たとえば会社員などの職業別であり、その職業ごとのコードたとえば適宜の英
数字で表したコードで表せるものが好ましい。家族構成を示す属性とは、世帯及び居住形態等を含むものである。
【０００９】
これによれば、比較用データベースが常に更新されることによって、客観性が担保され、自分の収支に対してより正確な分析が可能となる。
【００１０】
請求項２は、前記会員データベース又は家計簿設定データベースには、当該個人ＩＤを有する会員が居住地域以外に任意に登録した就労地域及び複数の関心のある地域が登録されている請求項１記載の家計簿データネットワークシステムである。
【００１１】
このように、ユーザの居住地域だけでなく就労地域及び他の地域、たとえば移転先、出身地、友人の居住地と比較することも可能となるため、たとえば移転に際してあらかじめその地域の経済動向を情報をとしてあらかじめ入手しておくことも可能となる。
【００１２】
請求項３は、前記ネットワークを介して個人端末に送信される表示情報は、家計簿の収支比較をグラフ化したレーダーチャートである請求項１又は２記載の家計簿データネットワークシステムである。
【００１３】
請求項４は、前記ネットワークを介して個人端末に送信される表示情報は、家計簿の費目別ランク比較をグラフ化したヒストグラムである請求項１又は２記載の家計簿データネットワークシステムである。
【００１４】
これらのように、レーダーチャートやヒストグラムを用いることにより、視覚的な収支の把握が可能となる。
【００１５】
請求項５は、少なくとも家庭毎に設けられ日付と費目と収入値と支出値を入力するための個人端末と、前記個人端末から入力された日付と費目と収入値と支出値とをネットワークを介して受信する家計簿データ作成サーバと、前記家計簿データ作成サーバに対してネットワークを介して接続された法人端末とからなり、前記家計簿データ作成サーバは、個人ＩＤと年齢と性別と職業を示す属性と会員が任意に登録した地域を関連付けて格納した会員データベースと、少なくとも前記個人ＩＤと職業を示す属性と家族構成を示す属性とを関連付けて格納した家計簿設定データベースと、前記個人ＩＤと、前記日付と費目と収入値と支出値とを関連付けて格納した家計簿入力データベースとを有しており、前記家計簿データ作成サーバの制御手段は、前記各データベースから読み出したデータに基づいて費目、年齢、性別、職業を示す属性、家族構成を示す属性、又は会員が任意に登録した地域毎に収入値と支出値とを再集計した消費動向データベースを生成し、前記法人端末からの要求に応じて、当該要求のあった条件に基づいた消費動向を前記消費動向データベースから読み出して表示情報を生成してネットワークを介して前記法人端末に送信する家計簿データネットワークシステムである。なお、法人端末からの要求に応じて、当該要求のあった条件とは、たとえば特定のｗｅｂページにアクセスしたログデータや、地域及び年齢層等の属性等を挙げられる。
【００１６】
このように、法人端末に対して消費動向を提供することにより、地域毎の消費動向の分析が容易となる。
【００１７】
請求項６は、少なくとも家庭毎に設けられた日付と費目と収入値と支出値とを入力するための個人端末と、前記個人端末から入力された日付と費目と収入値と支出値とをネットワークを介して受信する家計簿データ作成サーバとからなり、前記家計簿データ作成サーバは、個人ＩＤと年齢と性別と職業を示す属性と会員が任意に登録した地域を関連付けて格納した会員データベースと、前記個人ＩＤと前記日付と費目と収入値と支出値とを関連
付けて格納した家計簿入力データベースと、前記個人ＩＤと年月と費目と予算とを関連付けて格納した予算データベースとを有しており、前記家計簿データ作成サーバの制御手段は、予算データベースから読み出したデータに基づいて予算と実績とを比較して予算を管理し、前記個人端末からの要求に応じて、当該要求のあった個人の予実管理の結果を生成してネットワーク経由で前記個人端末に送信する家計簿データネットワークシステムである。
【００１８】
このように、個人ユーザが自身の家計簿データに基づいて予実管理が可能となるため、
毎月の予算と実績を比較して達成率や差異を明らかにし、未達の場合は必要な対策を検討することができる。よって、家庭においても理想的な予算管理が実現する。
【００１９】
請求項７は、前記家計簿データ作成サーバは、前記個人ＩＤと開始年と終了年と科目毎の金額と当該金額の増減率とを関連付けて格納したシミュレーションデータベースを有しており、前記家計簿データ作成サーバの制御手段は、このシミュレーションデータベースから所望の科目の終了年度時の金額をシミュレーションし、ネットワークを介して前記個人端末に送信する請求項６に記載の家計簿データネットワークシステムである。
【００２０】
このように、個人ユーザが自身の家計簿データに基づいてシミュレーションが可能となるため、予算の妥当性を事前に検証することができるので、家庭においても理想的な予算管理が実現する。
【発明の効果】
【００２１】
本発明によれば、日々変化する家計簿データの比較対象を常に再構築し、自分の家庭の収支を客観的に評価できる家計簿データネットワークシステムが実現できる。
【発明を実施するための最良の形態】
【００２２】
まず図１を参照して、本発明の家計簿データネットワークシステムの概念を説明する。
本発明の家計簿データネットワークシステムは、本システムを利用して家計簿をつける（形成する）ために必要なデータである家計簿データを入力するための個人端末と、ネットワークを介して接続された家計簿データ作成サーバとを含む。
【００２３】
家計簿データとは、本システムを利用するユーザの個人又は世帯毎の毎日の収入や支出の内容に係わるデータであり、具体的には日付・費目・収入値・支出値などである。
【００２４】
また家計簿データ作成サーバには、ユーザが入力した家計簿データに基づいて費目、生年月日（年齢）、性別、職業を示す属性、家族構成を示す属性、又は会員が任意に登録した地域毎に収入値と支出値とを個人を特定するデータを削除して再集計した比較用データベースを生成し、個人端末（ユーザ）からの要求に応じて、当該要求のあったユーザの収入値と支出値とを前記比較用データベースのデータ（以下、比較用データ）と比較した表示情報を生成し、ユーザに提供する。ユーザは、地域や年齢層など比較対象の条件を設定し、自分と比較することができる。この一連の流れを示すものがフェーズＡ（図１中、四角で囲まれた英文字「Ａ」で示された部分）である。
【００２５】
そして、上記比較用データベースに基づいた消費動向データをクライアントである法人や店舗に提供するというものが、フェーズＢ（図１中、四角で囲まれた英文字「Ｂ」で示された部分）で示す一連の流れである。
【００２６】
さらに、個人ユーザが、ｗｅｂ上で自己の家計簿データを入力し、その家計簿データに基づいて、予実管理機能やシミュレーション機能により、目標を持った家計運用をサポートし、家庭における理想的な予算管理の実現を図るというものが、フェーズＣ（図１中、
四角で囲まれた英文字「Ｃ」で示された部分）で示す一連の流れである。
以下、フェーズＡ〜Ｃをそれぞれ実施例１〜３として説明する。
【実施例１】
【００２７】
図２を参照してフェーズＡのネットワーク構成を具体的に説明する。
家計簿データネットワークシステム１Ａは、個人端末３と、個人端末３から入力されたデータをネットワーク５経由で受信する家計簿データ作成サーバ７Ａとを含む。
【００２８】
個人端末３は、情報処理装置（パーソナルコンピュータ又は携帯電話等）であって、ＴＣＰ／ＩＰによるいわゆるインターネットと接続するためのネットワークインターフェース等の通信部３０と、それぞれ図示しないバス（ＢＵＳ）で接続されたＣＰＵやメインメモリを備えた制御部３２と、ＲＡＭやハードディスク装置等で構成され各種のデータベースやテーブルを登録した情報記憶部３４とＯＳやアプリケーションプログラムを格納したプログラム記憶部３６と、キーボードなどの入力部３７と、モニタその他の表示部３８と、プリンターその他の印刷部３９とを有する。
【００２９】
そして、プログラム記憶部３６に格納されたプログラムを制御部が読み込んで実行しながら情報記憶部に登録された各種データベースのデータを読み書きすることによって本システムにおける個人端末としての機能が実現されるようになっている。
【００３０】
個人端末３の入力部３７により、家庭毎に設けられた日付・費目・収入値・支出値等本システムを利用するために必要なデータが入力され、情報記憶部３４に記憶される。入力されたデータは、通信部３０からネットワーク５を経由して、家計簿データ作成サーバ７Ａに送信される。
【００３１】
入力部３７から入力されるデータには、たとえば会員データ（図８（ａ）参照）と、家計簿設定データ（同図（ｂ）参照）と、家計簿入力データ（同図（ｃ）参照）とがある。
【００３２】
会員データベースには、会員データとして会員の個人情報、すなわち、図８（ａ）に示すような、個人ＩＤ・生年月日（年齢）・性別・地域等が登録される。
また、家計簿設定データベースは、家計簿を設定するためのデータであり、図８（ｂ）に示すように、〆日・職業を示す属性・家族構成を示す属性が登録される。
【００３３】
家計簿入力データベースには、家計簿として入力される個々のデータ、たとえば図８（ｃ）に示すような、商品又はサービスの購入又は提供年月日（日付）、商品やサービスの金額、支出なのか収入なのか及び支出の場合その支払い形態を示す収支別、費目（たとえば食費）、費目の内訳（たとえば米・パン・麺や乳製品等）、品名（たとえばコシヒカリ等具体的な商品名）等が登録される。
【００３４】
家計簿データ作成サーバ７Ａは、汎用のサーバ装置（コンピュータ）であって、ネットワークインターフェース等の通信部７０と、ＣＰＵその他の制御部（制御手段）７２と、情報記憶部７４Ａと、プログラム記憶部７６とを有する。これらの構成は前述の個人端末３と同様であるので詳細な説明は省略する。
【００３５】
そして、プログラム記憶部７６に格納されたプログラムを制御部７２が読み込んで順次実行処理しながら情報記憶部７４Ａに格納されたデータベースを読み書きすることによって、本システムにおける家計簿データ作成サーバとしての機能が実現されるようになっている。
【００３６】
家計簿データ作成サーバ７Ａのデータベースについて述べる。
家計簿データ作成サーバ７Ａは、図２に示すように、情報記憶部７４Ａに、前記会員データの各種データを関連付けて格納した会員データベース７４１と、前記家計簿設定データの各種データを関連付けて格納した家計簿設定データベース７４３と、家計簿入力データの各種データを関連付けて格納した家計簿入力データベース７４５とを有する。なお、各データベースに格納される各種データの関連付けは、すべてのデータを関連づけるようにしても、また一部のデータを関連づけるようにしても、いずれでもよい。
【００３７】
少なくともこの実施例１では、会員データベースでは、個人ＩＤと年齢と性別と会員が任意に登録した地域を関連付けて格納し、家計簿設定データベースでは前記個人ＩＤと職業を示す属性と家族構成を示す属性とを関連付けて格納し、前記家計簿入力データベースでは個人ＩＤと前記日付と費目と収入値と支出値とを関連付けて格納する。会員データベースにおいて、会員が任意に登録した地域には、居住場所、立ち寄り場所、実家所在地、勤務地等を含む複数の地域を含むことができる。
【００３８】
家計簿設定データベースにおいて、職業を示す属性とは、たとえば会社員などの職業別であり、その職業ごとのコードたとえば適宜の英数字で表したコードで表せるものが好ましい。また職業を示す属性には職種（たとえばプログラマ等）を含めてもよい。家族構成を示す属性とは、世帯及び居住形態等を含むものである。
【００３９】
そして、これら３つのデータベース７４１・７４３・７４５から読み出したデータに基づいて、家計簿データ作成サーバ７Ａの制御部７２は、生年月日（年齢）・性別・地域種別（たとえば居住地域など）・都道府県・市区郡・職業・世帯・居住形態・期間・月間金額・収支別・費目等を再集計して、前記比較用データを生成する（図８（ｄ）参照）。個人の収入値と支出値とを、この比較用データと比較する。
【００４０】
当該比較用データを関連付けて情報記憶部７４Ａに比較用データベース７４７Ａを構築する。
【００４１】
加えて、家計簿データ作成サーバ７Ａの制御部７２は、家計簿入力データに基づいて、キーワード順位データを生成し（図８（ｅ）参照）、キーワード順位データベース７４９を情報記憶部７４Ａに有する。
【００４２】
キーワード順位データとは、本システムのユーザが、興味のあるキーワード（費目・内訳・商品名に基づいたもの）についてそのランキングを知るためのデータである。
【００４３】
ユーザが費目及び内訳を入力部３７から入力すると、当該費目及び内訳に対応したランキング（以下、キーワードランキング）が、キーワード順位データベース７４９に記憶されているキーワード順位データに基づいて生成され、ネットワーク５を介して個人端末３に送信される。
【００４４】
次に図３のフローチャートを参照しながら、家計簿データ作成サーバ７Ａにおける動作を説明する。
【００４５】
Ｓ１では、個人端末３から商品又はサービスの購入又は提供年月日、金額、収支別、食費などの費目、米やパン等費目の内訳、商品名等の家計簿入力データを、ユーザが入力部３７から入力することで、家計簿入力データベース７４５へ保存する。
【００４６】
Ｓ２では、前記比較用データ及びキーワード順位データを会員データ、家計簿設定データ及び家計簿入力データから生成する。この生成処理をデータの統合処理という。
【００４７】
Ｓ３では、データの蓄積処理を行う。データの蓄積処理とは、比較用データ及びキーワード順位データを生成するために、会員データ・家計簿設定データ・家計簿入力データをバッチ処理して比較用データベース及びキーワード順位データベースに蓄積することである。バッチ処理とは、一定期間(若しくは一定量)データを集め（この実施形態では月次）、まとめて一括処理を行う処理方式である。
【００４８】
Ｓ４では、ユーザのリクエストに応じて、比較用データをもとに家計簿の収支比較をグラフ化したレーダーチャートや家計簿の費目別ランク比較をグラフ化したヒストグラムを生成したり、前記キーワードランキングを付けたりするための編集処理を行う。
【００４９】
Ｓ５では、レーダーチャートやヒストグラムをネットワーク経由で個人端末に送信される表示情報として個人端末３の表示部３８に表示できるようにユーザ所望のデータを送信するための送信処理を行う。
【００５０】
なお、ユーザがレーダーチャート及びヒストグラム並びにキーワードランキングを知りたい場合、ユーザが入力部３７からリクエストすると、そのリクエストに応じて、それまで比較用データベース７４７Ａ又はキーワード順位データベース７４９に蓄積されていたデータに基づいて表示部３８にレーダーチャート、ヒストグラム及びキーワードランキングが表示できるように、Ｓ４の編集処理が即座に実行される。
【００５１】
次に図４及び図５を参照して、Ｓ２〜Ｓ５の各処理の流れを視覚的に説明する。
図４では、その左側には上から下へ順に会員データベース７４１に記憶されている会員データ、家計簿設定データベース７４３に記憶されている家計簿設定データ、家計簿入力データベース７４５に記憶されている家計簿入力データを示し、同図中央にはこれらのデータを集計した比較用データを示し、右側上方には編集処理が済んだ比較対象のデータが示され、同じく下方には比較対象のデータに基づいて、ユーザに送信処理されることで、前記レーダーチャート及びヒストグラムが表示部３８に表示される一連の流れを示す。
【００５２】
会員データには、既述のように個人ＩＤ・生年月日（年齢）・性別・地域その他の会員データがある。なお、会員データの地域における"Living"は、たとえば現住所のことであり、"Working"は職場の住所であり、"Interesting"は関心のある地域の住所のことであって、個人ＩＤを有する会員が前記居住地域以外に任意に登録した就労地域及び複数の関心のある地域である。なお、当該地域は、会員データではなく家計簿設定データとして家計簿設定データベース７４３に登録するようにしてもよい。
【００５３】
比較用データとして集計されるものは、会員データ、家計簿設定データ、家計簿入力データに係る各データであり、これら集計されたデータは、比較用データベース７４７Ａに記憶される。たとえば会員データの生年月日は、比較用データの年齢に対応して記憶され、家計簿設定データの職業は、比較用データの職業に対応して記憶され、家計簿入力データの金額は月間金額に対応して記憶される。
【００５４】
またユーザ一人当たりのデータにつきバッチ処理にて月次でデータを作成する。さらに、年齢は、何年何月時点での年齢を算出し、年齢区分に当てはめる。地域種別・費目毎に１レコードであって、期間は何年何月の月初〜月末までの１か月とする。そして金額は月内合算される。
【００５５】
比較対象のデータのうち、年齢・性別・地域種別等は、ユーザが個人端末３の入力画面を見てプルダウンメニューから選択できるようになっており、選択した内容（条件）に応じて、比較用データをもとに逐次処理がなされ、またレーダーチャートやヒストグラムが生成される。
【００５６】
そして、生成されたレーダーチャートやヒストグラムは、家計簿の収支比較用のレーダーチャートや家計簿の項目別ランクを比較するためのヒストグラムとして利用すべく、既述のようにユーザに送られ、個人端末３の表示部３８に表示される。
【００５７】
図５は、その左側に家計簿入力データベース７４５に記憶されている家計簿入力データを示し、同図中央にキーワード順位データを示し、右側上方に編集処理が済むと各種ランキングが表示され、その下方にユーザに送信処理される結果物である、キーワードランキングが送信される旨が示されている。キーワード順位データでは、たとえばバッチ処理にて隔週データを作成する。
【００５８】
キーワード順位データが編集処理されると、ユーザは、個人端末３にて表示させたい費目及び内訳を選択できるようになっており、所望の費目及び内訳を選択すると、その費目及び内訳における品名のたとえば頻出又は金額のランキングを表示して、最も金額の大きいものから順に、上位１０個の「品名」と「金額」を表示することができるなどの処理が可能である。また費目及び内訳によらず、品名のたとえば頻出又は金額のランキングを表示することもかのうである。これらの処理の結果は、送信処理によって、ユーザに送られ、個人端末３の表示部３８にキーワードランキングとして表示される。
【００５９】
図６に編集処理と送信処理の概念を示す。
たとえば、レーダーチャートやヒストグラムをユーザが所望するときにユーザからのリクエスト条件に応じて比較用データ（図６では集計１（比較用）データと記す）をもとに逐次処理し、グラフを生成する。条件のうち、期間はユーザが指定した月を採用する。
【００６０】
具体的には、例えば全国のユーザが登録した全てのデータから構成される集計１（比較用）データを参照して、項目毎の平均値算出及び項目毎の偏差値算出を行い、比較対象のデータを生成する。この比較対象のデータは、ユーザが自己の支出状況について、全国的な基準に照らし合わせて、金額の高低及び偏差値の高低を把握するために参照される。ちなみに自己の偏差値が全国基準の偏差値よりも高い場合には収入が多く、それが低い場合には支出が少ないことを意味する。
【００６１】
なお、全国的な基準に限らず、ユーザが指定した条件に合致した母集団、例えば東京都中央区在住・男性・３０代・一人世帯、というような条件に合致する母集団について、項目毎の平均値算出及び偏差値算出を行い、比較対象データを生成することにより、ユーザは、自己と全国基準との比較に加えて、自己と条件に合致した母集団との比較も行うこともできる。この比較は、後に説明するように、数値表示やグラフ表示等、種々の方法で比較することができる。
【００６２】
個人端末３に送信処理されたレーダーチャートでは、収支のバランスが偏差値や金額によって示すことができたり、支出のバランスが偏差値や金額によって示すことができたりする（図７（ａ）〜（ｄ）参照）。
【００６３】
またヒストグラムでは、主たる収入（主収入）ランクが、縦軸に人数が示され、横軸に金額が示されてなる人数−金額線図として示されている。このほかにヒストグラムとしては貯蓄・運用をランク比較したヒストグラム、食費をランク比較したヒストグラム、教育費をランク比較したヒストグラム等を示すことができる（図７（ｅ）参照）。
【００６４】
また図９は、ユーザが個人端末３の表示部３８に示すことができる家計簿データの入力画面の一例を示す。
【００６５】
図１０は、同じくユーザが個人端末３の表示部３８に示すことができるヒストグラムの表示画面の一例を示す。
【００６６】
図１１は、同じくユーザが個人端末３の表示部３８に示すことができるレーダーチャートの表示画面の一例を示す。
【００６７】
このような家計簿データネットワークシステム１Ａによれば、比較用データベースが常に更新されることによって、客観性が担保され、自分の収支に対してより正確な分析が可能となる。
【００６８】
また、ユーザの居住地域だけでなく就労地域及び他の地域、たとえば移転先、出身地、友人の居住地と比較することも可能となるため、たとえば移転に際してあらかじめその地域の経済動向を情報をとしてあらかじめ入手しておくことも可能となる。
【００６９】
さらにレーダーチャートやヒストグラムを用いることにより、視覚的な収支の把握が可能となる。
【実施例２】
【００７０】
次に図１２を参照してフェーズＢのネットワーク構成を具体的に説明する。
実施例２に係る家計簿データネットワークシステム１Ｂが、実施例１の家計簿データネットワークシステム１Ａと相違する点は、家計簿データ作成サーバにネットワークをかいして法人（企業や店舗）の端末（以下、法人端末）３３が接続されていること（図１２参照）、年齢別や地域別などの消費動向を、家計簿データネットワークシステム１Ｂを利用する個人ユーザを対象として、法人ユーザが所望の分析結果を参照できるようにしたことにある。
【００７１】
消費動向とは、ユーザの収支に関するデータから読み取ることができ、先に説明した、項目毎の平均値・偏差値、場合によっては特定ユーザの生データ（個人を特定できないシステム上の配慮は必要）を参照することにより把握することができる。
【００７２】
実施例２では、会員データベースでは、個人ＩＤと年齢と性別と職業を示す属性と会員が任意に登録した地域を関連付けて格納し、家計簿設定データベースでは前記個人ＩＤと職業を示す属性と家族構成を示す属性とを関連付けて格納し、前記家計簿入力データベースでは個人ＩＤと前記日付と費目と収入値と支出値とを関連付けて格納する。会員データベースにおいて、会員が任意に登録した地域には、居住地を含む複数の地域を含むことができる。
【００７３】
そこで、実施例２の家計簿データネットワークシステム１Ｂでは、実施例１の情報記憶部７４Ａの代わりに、情報記憶部７４Ｂを有するようになっている。なお、情報記憶部７４Ｂが、実施例１の情報記憶部７４Ａと相違する点についてのみ説明することとし、実施例１と同一の部分には、同一の符号を付して説明を省略する。
【００７４】
情報記憶部７４Ｂは、情報記憶部７４Ａと同様、会員データベース７４１と、家計簿設定データベース７４３と、家計簿入力データベース７４５を有するが、それ以外に法人ユーザに提供する特定のｗｅｂページを個人ユーザが訪問したことを記録した訪問ログデータとして、法人ユーザのＩＤや個人ユーザの訪問日を関連付けて格納した訪問ログデータベース（以下、店舗ページ訪問ログデータベース）７４２と、実施例１の比較用データベース７４７Ａに相当する消費動向データベース７４７Ｂと、法人ユーザのブログサイトやホームページを訪問した個人ユーザを分析したデータを関連付けて格納した訪問ユーザ分析データベース７４８とを有する。
【００７５】
訪問ユーザ分析データベース７４８は、消費動向データベース７４７Ｂと比べ、訪問ログデータを除きデータ内容が実質同じである。なお、実施例２に係る会員データベース７４１には、実施例１に係る会員データベース７４１に格納されているデータに血液型、職業及び職種がデータとして加えられている。
【００７６】
そして、家計簿データネットワークシステム１Ｂの家計簿データ作成サーバ７Ｂの制御部７２は、各データベースから読み出したデータに基づいて費目、年齢、性別、職業を示す属性、家族構成を示す属性、又は会員が任意に登録した地域毎に収入値と支出値とを再集計した消費動向データベースを生成し、法人端末３３からの要求に応じて、当該要求のあった条件に基づいた消費動向を前記消費動向データベース７４７Ｂから読み出して、消費動向をグラフ化したもの（ヒストグラムなど）を表示情報として生成し、ネットワーク５を介して法人端末３３に送信する。
【００７７】
法人端末３３は、個人端末３と同様、情報処理装置（パーソナルコンピュータ又は携帯電話等）である。よって、個人端末３の構成部材の符号をそのまま３００番台にするだけで説明は省略する。なお、“法人端末３３からの要求に応じて、当該要求のあった条件”とは、たとえば本システムの会員である法人に提供されている特定のｗｅｂページに個人ユーザがアクセスした先の記録情報（ログデータ）や、地域及び年齢層等の属性等を挙げられる。
【００７８】
また、表示情報としては、消費動向をグラフ化したもの以外に、訪問ユーザ分析データベース７４８（図１２参照）から、法人ユーザのホームページを訪問した個人ユーザを分析したデータを読み出して、当該データをもとに逐次処理して生成したグラフを挙げられる。
【００７９】
これらのグラフの生成にあたり、個人端末３の入力部３７により、各個人又は世帯毎に設けられた日付・費目・収入値・支出値等本システムを利用するために必要なデータが入力され、情報記憶部３４に記憶される。入力されたデータは、通信部３０からネットワーク５を経由して、家計簿データ作成サーバ７Ｂに送信される。
【００８０】
入力部３７から入力されるデータには、会員データ（図１７（ａ）参照）と、家計簿設定データ（同図（ｂ）参照）と、家計簿入力データ（同図（ｃ）参照）とが含まれる。これら３データを実施例１と同様に家計簿データという。
【００８１】
そして、これら３つのデータのデータベース７４１・７４３・７４５から読み出したデータに基づいて、家計簿データ作成サーバ７Ｂの制御部７２は、生年月日（年齢）・性別・血液型・地域種別（たとえば居住地域など会員が任意に登録したもの）・都道府県・市区郡・職業・職種・世帯・居住形態・期間・月間金額・収支別・費目等を再集計して、消費動向データを生成する（図１７（ｄ）参照）。
【００８２】
当該消費動向データを関連付けて情報記憶部７４Ｂに消費動向データベース７４７Ｂを構築する（図１２参照）。
【００８３】
加えて、家計簿データ作成サーバ７Ｂの制御部７２は、会員データ・店舗ページ訪問ログデータ・家計簿設定データ・家計簿入力データに基づいて、訪問ユーザ分析データを生成し、訪問ユーザ分析データベース７４８を構築する。
【００８４】
次に図１３のフローチャートを参照しながら、家計簿データ作成サーバ７Ｂにおける動作を説明する。
Ｓ２１では、個人端末３から商品の購入年月日又はサービスの提供年月日、金額、収支別、食費などの費目、米やパン等費目の内訳、商品名等の家計簿入力データを入力することで、家計簿入力データベース７４５へ保存する。
【００８５】
Ｓ２２では、前記消費動向データ及び訪問ユーザ分析データを会員データ、店舗ページ訪問ログデータ、家計簿設定データ及び家計簿入力データから生成する。この生成処理をデータの統合処理という。
【００８６】
Ｓ２３では、データの蓄積処理を行う。システムＢにおけるデータの蓄積処理とは、消費動向データ及び訪問ユーザ分析を生成するために、会員データ・家計簿設定データ・家計簿入力データ・店舗ページ訪問ログデータをバッチ処理にて月次で消費動向データベース及び訪問ユーザ分析データベースに蓄積することである。
【００８７】
Ｓ２４では、ユーザのリクエストに応じて、消費動向データをもとに逐次処理を行い、消費動向のグラフ（たとえば消費動向ヒストグラム）や訪問ユーザ分析データのグラフ（たとえば消費動向分析円グラフ）を生成するための編集処理を行う。
【００８８】
Ｓ２５では、Ｓ２４の編集処理で作成した消費動向のグラフをネットワーク経由で法人端末に送信される表示情報として法人端末３３の表示部３３８に表示できるように、法人ユーザ所望のデータを送信するための送信処理を行う。
【００８９】
なお、法人ユーザが消費動向又は訪問ユーザ分析を知りたい場合、法人ユーザが入力部３３７からリクエストすると、そのリクエストに応じて、それまで消費動向データベース７４７Ｂ又は訪問ユーザ分析データベース７４８に蓄積されていたデータに基づいて表示部３３８に適宜のグラフが表示できるように、Ｓ２４の編集処理が即座に実行される。
【００９０】
次に図１４及び図１５を参照して、Ｓ２２〜Ｓ２５の各処理の流れを視覚的に説明する。
図１４では、その左側に会員データベース７４１に記憶されている会員データ、家計簿設定データベース７４３に記憶されている家計簿設定データ、家計簿入力データベース７４５に記憶されている家計簿入力データを示し、同図中央にはこれらのデータが集計され、かつ消費動向データベース７４７Ｂに記憶されている消費動向データを示し、右側上方には編集処理が済んだ消費動向のデータが示され、その下方には消費動向のデータに基づいて、逐次処理を行い、消費動向のグラフや訪問ユーザ分析データのグラフが法人ユーザに送信処理されることで、これらのグラフが表示部３３８に表示されるという内容の一連の流れを示す。
【００９１】
会員データには、実施例１の場合と比べ、血液型・職業・職種が会員データとして付加されている。なお、会員データの地域における"Living"、"Working"、"Interesting"の意味は、実施例１の場合と同様である。
【００９２】
消費動向データとして集計されるものは、会員データ、家計簿設定データ、家計簿入力データに係る各データであり、これら集計されたデータが、消費動向データベース７４７Ｂに記憶される。たとえば会員データの生年月日は、消費動向データの年齢に対応して記憶され、家計簿設定データの職業は、消費動向データの職業に対応して記憶され、家計簿入力データの金額は月間金額に対応して記憶される。
【００９３】
またユーザ一人当たりのデータにつきバッチ処理にて月次でデータを作成する。さらに、年齢は、何年何月時点での年齢を算出し、年齢区分に当てはめる。地域種別・費目毎に１レコードであって、期間は何年何月の月初〜月末までの１か月とする。そして金額は月
内合算される等、実施例１の比較用データ（図４、図８（ｄ）参照）と同じである。
【００９４】
消費動向のデータのうち、年齢・性別・地域種別等は、法人ユーザが法人端末３３の入力画面を見てプルダウンメニューから選択できるようになっており、選択した内容（条件）に応じて、消費動向データをもとに逐次処理がなされ、またグラフが生成される。
【００９５】
そして、生成されたグラフは、当該企業が展開する全国及び店舗の登録地域における消費動向をさぐるべく、既述のように法人ユーザに送られ、法人端末３３の表示部３３８に表示される。
【００９６】
図１５は、左側に店舗ページ訪問ログデータベースに記憶されている店舗ページ訪問ログデータを置き、その右側に会員データベース７４１に記憶されている会員データ、家計簿設定データベース７４３に記憶されている家計簿設定データ、家計簿入力データベース７４５に記憶されている家計簿入力データを示す。
【００９７】
そして、同図中央にはこれらのデータが集計され、かつ訪問ユーザ分析データベース７４８に記憶されている訪問ユーザ分析データを示し、その下方には編集処理が済み消費動向データベース７４７Ｂに記憶されている消費動向のデータが示され、その右側にはさらに編集処理がされ、本システム１Ｂにアクセスした個人ユーザの消費動向のデータに基づいて、又は法人ユーザのリクエスト条件に応じ、消費動向データに基づいて逐次処理を行い、消費動向のグラフや訪問ユーザ分析データのグラフを法人ユーザに送信処理することで、これらのグラフが表示部３３８に表示されるという内容の一連の流れを示す。
【００９８】
図１６に編集処理と送信処理の概念を示す。
たとえば、消費動向に係るグラフである消費動向ヒストグラムや消費動向分析円グラフを法人ユーザが所望するときに法人ユーザからのリクエスト条件に応じて、消費動向データ又は訪問ユーザ分析データをもとに逐次処理し、消費動向ヒストグラムや消費動向分析円グラフを生成する。条件のうち、期間はユーザが指定した月を採用する。
【００９９】
また図１８は、法人ユーザが法人端末３３の表示部３３８に示すことができる家計簿データの入力画面の一例を示す。
【０１００】
このような家計簿データネットワークシステム１Ｂによれば、法人端末３３に対して消費動向を提供することにより、法人にとって地域毎の消費動向の分析及び法人の利用する特定のｗｅｂページを訪問したユーザの属性の分析や消費動向の分析が容易となる。
【０１０１】
また、消費動向ヒストグラムや消費動向分析円グラフを用いることにより、視覚的な収支の把握が可能となる。
【実施例３】
【０１０２】
次に図１９を参照してフェーズＣのネットワーク構成を具体的に説明する。
家計簿データネットワークシステム１Ｃは、既述のように個人ユーザが、個人端末３から自己の家計簿データをｗｅｂ上で入力し、その家計簿データに基づいて、予実管理機能やシミュレーション機能により、目標を持った家計運用をサポートし、家庭における理想的な予算管理の実現を図るというものである。
【０１０３】
シミュレーション機能は、予想される（希望する）消費内容及びタイミングをユーザに入力してもらい、その予想消費内容の実現可能性及び実現に向けた収支予測を行う処理である。このようなシミュレーション機能の運用結果は、先に説明した消費動向として店舗側で参照するできることが望ましい。店舗側は、この消費動向を参照することにより、精
度の高い将来のマーケット情報を把握することができる。
【０１０４】
そこで、実施例３の家計簿データネットワークシステム１Ｃでは、実施例１の情報記憶部７４Ａの代わりに、情報記憶部７４Ｃを有する。情報記憶部７４Ｃが実施例１の情報記憶部７４Ａと相違する部分についてのみ説明し、実施例１と同一の部分には、同一の符号を付して説明を省略する。
【０１０５】
なお、個人端末３の入力部３７から入力されるデータには、会員データ（図２１（ａ）参照）と、家計簿入力データ（同図（ｂ）参照）とが含まれる。これら２データを実施例３では家計簿データという。なお、実施例３の会員データと実施例２の会員データとは同じである。
【０１０６】
情報記憶部７４Ｃは、情報記憶部７４Ａと同様、会員データベース７４１（図２１（ａ）参照）と、家計簿入力データベース７４５（図２１（ｂ）参照）とを有するが、それ以外に  前記個人ＩＤと年月と費目と予算とを関連付けて格納した予算データベース７４６（図２１（ｃ）参照）と、個人ＩＤと開始年と終了年と科目毎の金額と当該金額の増減率とを関連付けて格納したシミュレーションデータベース８００とを有する（図２１（ｄ）参照）。
【０１０７】
そして、家計簿データネットワークシステム１Ｃの家計簿データ作成サーバ７Ｃの制御部７２は、予算データベース７４６から読み出したデータに基づいて予算と実績とを比較して予算を管理し、個人端末３からの要求に応じて、当該要求のあった個人の予実管理の結果を生成してネットワーク５経由で個人端末３に送信する。なお予算が実績を上回る場合には送信した内容に注意を喚起するような工夫をしてあると好ましい。
【０１０８】
また、家計簿データ作成サーバの制御手段７２は、シミュレーションデータベース８００から所望の科目の終了年度時の金額をシミュレーションし、ネットワーク５を経由して個人端末３に送信する。科目とは、たとえば所有資産や年俸や教育費等を挙げられる。なお、複数の科目を総合的にシミュレーションすることで、ユーザの将来的なライフプランの診断を行うことも可能である。
【０１０９】
次に図２０のフローチャートを参照しながら、家計簿データ作成サーバ７Ｃにおける動作を説明する。
【０１１０】
Ｓ３１では、個人端末３から商品又はサービスの購入又は提供年月日、金額、収支別、食費などの費目、米やパン等費目の内訳、商品名等の家計簿入力データを、ユーザが入力部３７から入力することで、家計簿入力データベース７４５へ保存する。
【０１１１】
Ｓ３２では、ユーザのリクエストに応じて、予算データベース７４６やシミュレーションデータベース８００から読み出したデータを編集する編集処理を行う。当該編集処理を行うにあたり、予算データベース７４６に基づいて予算と実績とを比較して予算を管理する。また、シミュレーションデータベースから所望の科目の終了年度時のたとえば所有資産をシミュレーションする。
【０１１２】
Ｓ３３では、個人端末３からの要求に応じて、当該要求のあった個人の予実管理の結果を生成し、ネットワーク５経由で個人端末３に送信する。たとえば予算が実績を上回ることが判明した場合などに送信する。また、シミュレーションの結果をネットワーク経由で前記個人端末に送信する。
【０１１３】
図２２は、個人ユーザが個人端末３の表示部３８に示すことができる家計簿データの入
力画面の一例を示す。
【０１１４】
図２３は、個人ユーザが個人端末３の表示部３８に示すことができる予算を管理する画面の一例を示す。
【０１１５】
図２４は、たとえば所有資産をシミュレーションするための入力画面の一例を示す図である。
【０１１６】
図２５は、図２４でシミュレーションしたたとえば所有資産をグラフで示した状態を示す画面インターフェースの一例を示す図である。
【０１１７】
このような家計簿データネットワークシステム１Ｃによれば、個人ユーザが自身の家計簿データに基づいて予実管理が可能となるため、毎月の予算と実績を比較して達成率や差異を明らかにし、未達の場合は必要な対策を検討することができる。よって、家庭においても理想的な予算管理が実現する。
【０１１８】
また個人ユーザが自身の家計簿データに基づいてシミュレーションが可能となるため、予算の妥当性を事前に検証することができるので、家庭においても理想的な予算管理が実現する。
【０１１９】
実施例について、平均値や偏差値を求める場合、世帯の構成員数について考慮していないが、例えば構成員の人数を揃えて分析することが望ましい場合、一人当たりの収支に換算した後、項目毎の平均値や偏差値を算出し、比較することもできる。このような比較環境を提供することにより、例えば構成員の多い世帯と構成員の少ない世帯を同一視して比較する事態を回避できる。
【産業上の利用可能性】
【０１２０】
本発明は、ネットワークを介した家計簿データの収集、分析、情報提供、さらには家計簿データをインフラストラクチャとした会員情報共有システムに利用できる。
なお、本発明は上述の図示例にのみ限定されるものではなく、本発明の要旨を逸脱しない範囲内において種種変更を加え得ることは勿論である。
【図面の簡単な説明】
【０１２１】
【図１】本発明の家計簿データネットワークシステムの概念図である。
【図２】本発明の家計簿データネットワークシステムの実施例１のネットワーク構成図である。
【図３】本発明の家計簿データネットワークシステムの実施例１に係る動作説明のフローチャートである。
【図４】本発明の家計簿データネットワークシステムの実施例１に係るデータの統合処理を説明するための図であって、比較用データの生成について説明する図である。
【図５】本発明の家計簿データネットワークシステムの実施例１に係るデータの統合処理を説明するための図であって、キーワード順位データの生成について説明する図である。
【図６】本発明の家計簿データネットワークシステムの実施例１に係るデータの編集処理と送信処理を説明するための図である。
【図７】本発明の家計簿データネットワークシステムの実施例１に係る家計簿の収支比較をレーダーチャートとヒストグラムとで表示した場合を示す図であり、図（ａ）は収支のバランス／偏差値のレーダーチャートであり、図（ｂ）は収支のバランス／金額のレーダーチャートであり、図（ｃ）は支出のバランス／偏差値のレーダーチャートであり、図（ｄ）は支出のバランス／金額のレーダーチャートであり、図（ｅ）はランク比較／主収入のヒストグラムである。
【図８】本発明の家計簿データネットワークシステムの実施例１に係るデータベースの内容を例示する図であって、図（ａ）は会員データであり、図（ｂ）は家計簿設定データであり、図（ｃ）は家計簿入力データであり、図（ｄ）は比較用データであり、図（ｅ）はキーワード順位データである。
【図９】本発明の家計簿データネットワークシステムの実施例１に係る画面インターフェースの一例を示す図であって家計簿入力のための画面を示す図である。
【図１０】本発明の家計簿データネットワークシステムの実施例１に係る家計簿の費目別ランクをヒストグラムで示す画面インターフェースの一例を示す図である。
【図１１】本発明の家計簿データネットワークシステムの実施例１に係る家計簿の収支比較をレーダーチャートで示す画面インターフェースの一例を示す図である。
【図１２】本発明の家計簿データネットワークシステムの実施例２のネットワーク構成図である。
【図１３】本発明の家計簿データネットワークシステムの実施例２に係る動作説明のフローチャートである。
【図１４】本発明の家計簿データネットワークシステムの実施例２に係るデータの統合処理を説明するための図であって、消費動向データの生成について説明する図である。
【図１５】本発明の家計簿データネットワークシステムの実施例２に係るデータの統合処理を説明するための図であって、訪問ユーザ分析データの生成について説明する図である。
【図１６】本発明の家計簿データネットワークシステムの実施例２に係るデータの編集処理と送信処理を説明するための図である。
【図１７】本発明の家計簿データネットワークシステムの実施例２に係るデータベースの内容を例示する図であって、図（ａ）は会員データであり、図（ｂ）は家計簿設定データであり、図（ｃ）は家計簿入力データであり、図（ｄ）は消費動向データである。
【図１８】本発明の家計簿データネットワークシステムの実施例２に係る画面インターフェースの一例を示す図であって家計簿入力のための画面を示す図である。
【図１９】本発明の家計簿データネットワークシステムの実施例３のネットワーク構成図である。
【図２０】本発明の家計簿データネットワークシステムの実施例３に係る動作説明のフローチャートである。
【図２１】本発明の家計簿データネットワークシステムの実施例３に係るデータベースの内容を例示する図であって、図（ａ）は会員データであり、図（ｂ）は家計簿入力データであり、図（ｃ）は予算データであり、図（ｄ）はシミュレーションデータである。
【図２２】本発明の家計簿データネットワークシステムの実施例３に係る画面インターフェースの一例を示す図であって家計簿入力のための画面を示す図である。
【図２３】本発明の家計簿データネットワークシステムの実施例３に係る家計簿で予算を管理するための画面の一例を示す図である。
【図２４】本発明の家計簿データネットワークシステムの実施例３に係る家計簿で所有資産をシミュレーションするための入力画面の一例を示す図である。
【図２５】図２４でシミュレーションした所有資産をグラフで示した状態を示す画面インターフェースの一例を示す図である。
【符号の説明】
【０１２２】
１Ａ 家計簿データネットワークシステム
１Ｂ 家計簿データネットワークシステム
１Ｃ 家計簿データネットワークシステム
３ 個人端末
５ ネットワーク
７Ａ 家計簿データ作成サーバ
７Ｂ 家計簿データ作成サーバ
７Ｃ 家計簿データ作成サーバ
３０ 通信部
３２ 制御部（制御手段）
３３ 法人端末
３４ 情報記憶部
３６ プログラム記憶部
３７ 入力部
３８ 表示部
３９ 印刷部
７０ 通信部
７２ 制御部（制御手段）
７４Ａ 情報記憶部
７４Ｂ 情報記憶部
７４Ｃ 情報記憶部
７６ プログラム記憶部
３３０ 通信部
３３２ 制御部（制御手段）
３３４ 情報記憶部
３３６ プログラム記憶部
３３７ 入力部
３３８ 表示部
３３９ 印刷部
７４１ 会員データベース
７４２ 店舗ページ訪問ログデータベース
７４３ 家計簿設定データベース
７４５ 家計簿入力データベース
７４６ 予算データベース
７４７Ａ 比較用データベース
７４７Ｂ 消費動向データベース
７４８ 訪問ユーザ分析データベース
７４９ キーワード順位データベース
８００ シミュレーションデータベース
Ａ フェーズ
Ｂ フェーズ
Ｃ フェーズ
【図１】
2008090450.tif 000003
【図２】
2008090450.tif 000004
【図３】
2008090450.tif 000005
【図４】
2008090450.tif 000006
【図５】
2008090450.tif 000007
【図６】
2008090450.tif 000008
【図７】
2008090450.tif 000009
【図８】
2008090450.tif 000010
【図９】
2008090450.tif 000011
【図１０】
2008090450.tif 000012
【図１１】
2008090450.tif 000013
【図１２】
2008090450.tif 000014
【図１３】
2008090450.tif 000015
【図１４】
2008090450.tif 000016
【図１５】
2008090450.tif 000017
【図１６】
2008090450.tif 000018
【図１７】
2008090450.tif 000019
【図１８】
2008090450.tif 000020
【図１９】
2008090450.tif 000021
【図２０】
2008090450.tif 000022
【図２１】
2008090450.tif 000023
【図２２】
2008090450.tif 000024
【図２３】
2008090450.tif 000025
【図２４】
2008090450.tif 000026
【図２５】
2008090450.tif 000027